(57)【特許請求の範囲】
【請求項１】
飲料を調製するためのプロセスであって、前記飲料は少なくとも１つの乳飲料成分を含み、前記飲料は、飲料ディスペンサを用いて調製され、前記飲料ディスペンサは、
−異なる乳原料を収容する少なくとも２つの乳原料容器（１ｂ、１ａ）であって、前記乳原料はその脂肪含有量が異なる、容器と、
−各乳原料容器から乳原料のドーズ量を計り取るための、前記乳原料容器（１ａ、１ｂ）と協働するドーズ装置（２ａ、２ｂ）と、を備え、
前記プロセスは、
−異なる乳原料のドーズ量を飲料再構成場所（３、８）に同時に導入する工程と、
−前記乳飲料成分を生成するために、前記異なる乳原料のドーズ量を希釈液と一緒に混合する工程と、
を含む、プロセス。
【請求項２】
前記飲料再構成場所は、飲用カップ（８）である、請求項１に記載のプロセス。
【請求項３】
前記飲料再構成場所は、混合チャンバ（３）であり、前記混合チャンバは、乳原料のドーズ量及び希釈液のドーズ量を受け入れ、前記ドーズ量を混合して飲料を生成し、前記混合チャンバの出口を介して前記飲料を飲用カップに供給するように構成される、請求項１に記載のプロセス。
【請求項４】
前記乳原料容器（１ａ、１ｂ）は、乳粉末を収容する、請求項１〜３のいずれか一項に記載のプロセス。
【請求項５】
前記乳原料容器（１ａ、１ｂ）は、脂肪含有量が１〜４２重量％である乳粉末を収容する、請求項４に記載のプロセス。
【請求項６】
前記乳原料容器（１ａ、１ｂ）は、脂肪含有量が１〜２６重量％である乳粉末を収容する、請求項４に記載のプロセス。
【請求項７】
前記乳原料容器（１ａ、１ｂ）は、脂肪含有量が１〜１６重量％である乳粉末を収容する、請求項４に記載のプロセス。
【請求項８】
異なる乳粉末のドーズ量が、前記異なる乳粉末のドーズ量の混合物の脂肪含有量が８重量％以上であるような割合に従って、前記飲料再構成場所（３）に同時に導入される、請求項４〜７のいずれか一項に記載のプロセス。
【請求項９】
前記乳粉末容器は、脂肪含有量が１重量％である乳粉末及び脂肪含有量が１６重量％である乳粉末を少なくとも含む、請求項４〜８のいずれか一項に記載のプロセス。
【請求項１０】
前記乳粉末容器（１ａ、１ｂ）は、脂肪含有量が８重量％以上である乳粉末を収容する、請求項４〜９のいずれか一項に記載のプロセス。
【請求項１１】
前記異なる乳原料のドーズ量は、所定の割合で前記飲料再構成場所（３）に導入され、前記割合は、前記容器に収容された前記乳原料の性質に応じて、かつ脂肪含有量及び／又は味の点で最終飲料の所望の特性に応じて規定される、請求項１〜１０のいずれか一項に記載のプロセス。
【請求項１２】
前記飲料が調製される前記ディスペンサは、非乳飲料成分を調製するためのモジュール（１’、３’又は１”、３”）を備え、前記プロセスは、前記乳飲料成分を前記モジュールで調製された非乳飲料成分と混合する工程を含む、請求項１〜１１のいずれか一項に記載のプロセス。
【請求項１３】
前記モジュールで調製された前記非乳飲料成分は、コーヒー飲料成分である、請求項１２に記載のプロセス。
【請求項１４】
前記ディスペンサは、
−脂肪含有量及び／又は味に関するユーザの入力（６１）を受信するためのユーザインターフェース（６）と、
−ユーザの入力（６１）に応じて前記飲料再構成場所（３）に導入される前記異なる乳原料のドーズ量を決定するための制御ユニット（７）と、
を備える、請求項１〜１３のいずれか一項に記載のプロセス。
【発明の詳細な説明】
【技術分野】
【０００１】
本発明は、乳粉末から乳系飲料を提供するように構成された飲料ディスペンサに関する。
【０００２】
［背景技術］
可溶性粉末から飲料を調製するように構成された飲料ディスペンサが先行技術から知られている。これらのディスペンサは、コーヒー、茶、スープ、ココアを生成でき、これらの飲料は、カプチーノ、ラッテマキアート又はモカのような公知のレシピに従って乳成分と混合されてよい。その他の飲料は、キャラメルラッテ、バニララッテのように香り付けされた乳成分のみからなる。
【０００３】
ミルクは、脂肪分を含む。実際、全脂肪乳は通常少なくとも２６重量％の脂肪分を含む。現在の飲料ディスペンサでは、顧客に対して、全脂肪乳（あるいは約１６重量％の脂肪分を含む半脱脂乳も）又は脱脂乳のいずれかを選択してその乳系飲料を調製することが提案されている。脱脂乳は約１重量％の脂肪分を含んでいるため、消費者は自らの個人的な食事に最も適した乳の種類を選択できる。
【０００４】
しかし、一部の顧客にとっては、脱脂乳粉末で調製したレシピと全脂肪乳粉末又は半脱脂乳粉末で調製した同じレシピとで、最終飲料に著しい味の相違がある。そのため、このような顧客は、脱脂乳を含む飲料を注文する際に、当該飲料の方が自らの食事によく合っている可能性があるものの、ためらうことがある。
【０００５】
ここで、意外なことに、乳粉末から再構成した、総脂肪含有量が約８重量％であるミルクの味は、脱脂乳粉末から再構成したミルクよりも全脂肪乳粉末から再構成したミルクに近い味覚特性があることが見出された。ミルクの味は脂肪分の有無に密接に関係していることが現在知られているため、この結果は予想外であった。脂肪含有量が８％を上回る乳粉末から再構成したミルクはすべて、全脂肪乳粉末から再構成した飲料に近い味覚特性があることもまた見出された。
【０００６】
本発明の目的は、全脂肪乳又は低脂肪乳のいずれかから調製され、味覚特性が近い乳系飲料を提供できる飲料ディスペンサを提供することである。
【０００７】
本発明の別の目的は、少なくとも低脂肪乳から調製され、脱脂乳の味覚特性がない乳系飲料を提供できる飲料ディスペンサを提供することである。
【０００８】
本発明の別の目的は、ミルクを多く含む味覚特性を提供できる飲料ディスペンサを提供することである。
【０００９】
［課題を解決するための手段］
第１の態様によれば、本発明は、飲料を調製するためのプロセスであって、飲料は少なくとも１つの乳飲料成分を含み、
飲料は、飲料ディスペンサを用いて調製され、飲料ディスペンサは、
・異なる乳原料を収容する少なくとも２つの乳原料容器であって、乳原料はその脂肪含有量が異なる、容器と、
・各乳原料容器から乳原料のドーズ量（dose：一杯分の量）を計り取るための、乳原料容器と協働するドーズ装置（dosing device）と、を備え、
プロセスは、
−異なる乳原料のドーズ量を飲料再構成場所に同時に導入する工程と、
−乳飲料成分を生成するために、異なる乳原料のドーズ量を希釈液と一緒に混合する工程と、を含む、プロセスに関する。
【００１０】
本発明のプロセスは、可溶性飲料原料、特に可溶性乳粉末又は乳濃縮物のような乳原料を希釈液と混合することによって飲料が調製される飲料ディスペンサにおいて実施される。希釈液は、接触及び混合によって可溶性飲料原料を溶解する。希釈液は通常、水である。飲料調製の１つの工程は、可溶性飲料原料のドーズ量及び希釈液のドーズ量を計り取ることと、それを飲料再構成場所に供給し、この飲料再構成場所で可溶性飲料原料のドーズ量及び希釈液のドーズ量を接触させ混合させることと、からなる。
【００１１】
第１の方式によれば、飲料再構成場所は、飲用カップであってよい。この種の飲料ディスペンサは、カップ内混合ディスペンサに相当する。通常、希釈液のドーズ量は、好ましくは可溶性飲料原料と希釈液との混合物を攪拌して混合するように構成された噴射型である、少なくとも１つのノズルを介して供給される。
【００１２】
第２の方式によれば、飲料再構成場所は、混合チャンバであってよい。混合チャンバは、乳原料のドーズ量及び希釈液のドーズ量を受け入れ、このドーズ量を混合して飲料を生成し、混合チャンバの出口を介して飲料を飲用カップに供給するように構成されている。好ましくは、混合チャンバは、可溶性飲料原料を希釈液の中で溶解し、最終的に飲料を泡立たせるためのホイッパを備える。
【００１３】
飲料再構成場所に関する方式がどのようなものであっても、乳飲料原料は通常、使い捨て式又は使い捨て式ではない複数のドーズ量に対応する収容容器に収容され、可溶性飲料成分のドーズ量は、飲料が調製されるたびに収容容器から引き出される。飲料粉末又は飲料濃縮物を計り取るための任意の公知の装置を使用してよい。
【００１４】
好適な実施形態によれば、乳原料容器は、乳粉末を収容する。本発明では、「乳粉末」という用語は、可溶性乳固形分の粉末、ペレット又は顆粒を区別なく範囲に含める。
【００１５】
このような乳粉末の場合、可溶性飲料成分を計り取るための装置は、好ましくは、スクリューオーガ、スプリングオーガ、ドーズ用オーガ又は孔のあいたディスクのような、容量測定ドーズ装置である。ディスペンサの乳粉末ドーズ装置は通常、機械的なものである。好ましくは、モータによって作動される。
【００１６】
好適な実施形態によれば乳粉末は、収容容器に収容され、乳粉末のドーズ装置（好ましくはスクリューオーガ）は、収容容器の底に設置される。収容容器とドーズ装置とのこのアセンブリは通常、最新の飲料ディスペンサではキャニスタとして識別される。
【００１７】
ドーズ装置は乳粉末を計り取り、この乳粉末は、収容容器の出口に供給された後に飲料再構成場所に分配される。
【００１８】
本発明によれば、ディスペンサは、異なる乳粉末を収容する少なくとも２つの乳粉末容器を備え、それらの粉末はその脂肪含有量が異なる。乳粉末容器は、脂肪含有量が１〜４２重量％、好ましくは１〜２６重量％、さらに一層好ましくは１〜１６重量％である異なる乳粉末を収容できる。
【００１９】
好適な実施形態によれば、乳粉末容器は、脂肪含有量が約１重量％である乳粉末及び脂肪含有量が約１６重量％である乳粉末を少なくとも含む。実際には、これらの脂肪分の含有量は両方とも、市販の乳粉末に対する最も一般的な脂肪含有量に相当する。この２つの脂肪含有量はまた、脂肪含有量が１〜１６重量％である多岐にわたる乳粉末混合物の生成を可能にするという利点もある。
【００２０】
別の実施形態によれば、乳粉末容器は、好ましくは、脂肪含有量が少なくとも８重量％である乳粉末を収容できる。前述したように、このような乳粉末から調製した飲料は、全脂肪乳粉末から調製した飲料に近い味であることが見出されている。
【００２１】
好ましくは、本発明のプロセスによれば、異なる乳粉末のドーズ量は、異なる乳粉末のドーズ量の混合物の脂肪含有量が少なくとも８重量％であるような割合に従って、飲料再構成場所に同時に導入される。
【００２２】
本発明では、乳原料容器は、脂肪含有量の点での相違とは別に、風味、栄養価及び／又は甘味料の有無も異なる乳原料を収容できる。栄養価の点での乳原料どうしの相違は、ビタミンのような補足栄養要素の有無に関連し得る。甘味料含有量の点での乳原料どうしの相違は、乳原材料中の甘味料の含有量又は乳原材料中の甘味料に異なる性質があるかどうかに関連し得る。例えば、乳原料中の甘味料は、Ｓｐｌｅｎｄａ（登録商標）、Ａｃｅｓｕｌｆａｍｅ  Ｋ（登録商標）、アスパルテーム又はＳｔｅｖｉａ（登録商標）のような非炭水化物系の甘味料から選択されてよい。
【００２３】
本発明によれば、飲料を調製するためのプロセスは、異なる乳原料ドーズ量を飲料再構成場所に同時に導入する工程を含む。したがって、プロセスでは、最終飲料は、脂肪含有量が異なる少なくとも２つの異なる可溶性乳原料のドーズ量及び希釈液のドーズ量の混合物から調製される。好ましくは、異なる乳原料のドーズ量は、所定の割合で飲料再構成場所に導入され、割合は、容器に収容された乳原料の性質に応じて、かつ脂肪含有量及び／又は味の点で最終飲料の所望の特性に応じて規定される。
【００２４】
１つの実施形態によれば、飲料が調製される飲料ディスペンサは、非乳飲料成分を調製するための少なくとも１つのモジュールを備え、プロセスは、乳飲料成分をモジュールで調製された非乳飲料成分と混合する工程を含む。好ましくは、飲料ディスペンサは、飲料のコーヒー系成分を調製するためのモジュールを備える。飲料ディスペンサは、茶、ココア、又はその他の風味付けされた飲料のような非乳飲料成分も調製するためのモジュールを備えることができる。
【００２５】
この実施形態では、飲料ディスペンサのモジュールは、
・少なくとも１つの可溶性非乳飲料成分用容器と、
・容器から飲料成分のドーズ量を計り取るための、可溶性非乳飲料成分用容器と協働する少なくとも１つのドーズ装置と、を備えることができ、
プロセスは、非乳飲料成分のドーズ量を希釈液と一緒に飲料再構成場所に導入して非乳飲料成分を生成する工程を含むことができる。
【００２６】
このようなモジュールは、可溶性のコーヒー粉末又はコーヒー濃縮物から、可溶性のココア粉末若しくはココア濃縮物から、又は可溶性の茶粉末若しくは茶濃縮物から、それぞれコーヒー、ココア、茶を生成するように適合できる。
【００２７】
この実施形態では、飲料ディスペンサのモジュールは、その代わりに、焙煎して挽いたコーヒーのドーズ量を水と一緒に淹出するように構成することができる。
【００２８】
好ましくは、モジュールで調製された非乳飲料成分は、コーヒー飲料成分である。
【００２９】
１つの好適な実施形態によれば、ディスペンサは、
−脂肪含有量及び／又は味に関するユーザの入力を受信するためのユーザインターフェースと、
−ユーザの入力に応じて飲料再構成場所に導入される異なる乳原料のドーズ量を決定するための制御ユニットと、を備える。
【００３０】
ユーザインターフェースは、消費者に、
−乳系飲料のレシピの一覧と、
−脂肪含有量の選択肢の一覧及び／又は味の選択肢の一覧と、を提示できる。
【００３１】
乳系飲料の様々なレシピは、以下をユーザに提供するために提示されて良い：
−飲料原料の組成（コーヒーとミルク、ココア、ミルクティーなど）又は飲料の外観（ホワイトコーヒー、ラッテマキアート、カプチーノ、モカなど）に関する選択肢、並びに
−脂肪含有量又は栄養情報（多いか少ないか）に関する選択肢及び／又は味（ミルクの香り、ミルクの風味）に関する選択肢。
【００３２】
風味の添加物（バニラ、キャラメル）、栄養の添加物（ビタミン）及び／又は甘味料の添加物（性質及び含有量）に関する追加の選択肢を提供できる。
【００３３】
ディスペンサは通常、ディスペンサ内部に本発明のプロセスを実施するための制御ユニットを備える。さらに詳細には、制御ユニットは、選択された飲料に関する少なくとも１つのユーザの入力に少なくとも部分的に基づいて、原料容器と協働するドーズ装置に命令する。特に、制御ユニットは、２つ以上の乳原料の選択を、ディスペンサに収容された乳原料容器の数及びユーザの入力に関わる各乳原料のドーズ量に応じて制御できる。
【００３４】
マシンは、好ましくは、ユーザに情報を提供するため、かつ消費者による入力を受け付けるためのユーザインターフェース画面を備える。ユーザインターフェース画面は、接触感知画面であってよく、かつ／又は接触感知入力部を備えることができる。マシンは、タッチパッド、１つ以上のボタン及び／若しくはスイッチ、又は先行技術で同様の装置などのユーザ入力装置を有していてよい。
【００３５】
本発明の特定の実施形態によれば、乳原料は、その脂肪含有量が異なる様々な液状乳濃縮物である。
【００３６】
本発明では、以下の用語がある。
−「乳飲料成分」とは、可溶性乳粉末又は液状乳濃縮物を希釈液（通常は水）と混合して生じた飲料である、再構成されたミルクのことであり、
−「乳系飲料」とは、少なくとも乳飲料成分を含む飲料のことであり、
−「非乳飲料成分」とは、コーヒー、茶のようにミルクを含まない飲料、又はココア粉末から再構成されたココアのようにミルクが主成分ではない飲料のことである。
【図面の簡単な説明】
【００３７】
本発明の特徴及び利点は、以下の図面に関連してより良好に理解される。
【図１】本発明のプロセスを実施するように構成された乳系飲料ディスペンサの概略図である。
【図２】本発明のプロセスにより乳系飲料成分を含む多様な飲料を調製し、混合チャンバを実装するように構成された飲料ディスペンサの図である。
【図３】本発明のプロセスにより乳系飲料成分を含む多様な飲料を調製し、カップ内混合を実施するように構成された別の飲料ディスペンサの図である。
【００３８】
［図面の詳細な説明］
図１は、本発明による乳系飲料を調製するように構成された飲料ディスペンサを示している。ディスペンサは２つの容器１ａ、１ｂを備え、それぞれの容器が乳粉末を収容している。容器１ａ内の粉末は、容器１ｂ内の粉末とは脂肪含有量が異なる。例えば一方の粉末は脂肪含有量が１重量％であり、もう一方の粉末は脂肪含有量が１６重量％である。各容器１ａ、１ｂは、各乳粉末容器から乳粉末のドーズ量を計り取るための１つのドーズ装置２ａ、２ｂと協働する。ドーズ装置２ａ、２ｂは、粉末のドーズ量を同じ飲料再構成場所３に供給する。図示したディスペンサでは、飲料再構成場所３は、溶解チャンバ３１と溶解チャンバの下流に位置するホイッパチャンバ３２とを備え、ホイッパチャンバ内では、ホイッパが粉末と希釈液との混合物を泡立てることができる。ホイッパは、モータ３４によって作動する。ホイッパチャンバ３２は、乳成分をカップ８内に供給するための出口３５を備える。ディスペンサは、水、好ましくは湯のタンク５である希釈液の供給源を備え、このタンクはポンプ４に接続されている。ポンプは、ポンプで吸引された希釈液を再構成場所３に供給する。
【００３９】
本発明のプロセスによれば、異なる乳粉末の両方のドーズ量は、溶解チャンバ３１内に同時に導入されて乳飲料成分を調製する。
【００４０】
ディスペンサは、ドーズ装置２ａ、２ｂ、ホイッパモータ３４及びポンプ４を制御できる制御ユニット７を備える。制御ユニットは、メモリ９に記憶されたコンピュータ実行可能プログラム命令を実行できる。
【００４１】
ディスペンサは、表示装置などの入出力装置を備えるユーザインターフェース６を備え、それによって消費者は飲料の選択ができる。好ましくは、制御装置は顧客に、選択可能なレシピＲ１、Ｒ２、Ｒ３、Ｒ４などの一覧を表示装置に示す。レシピは、その味、及び／又はその栄養の組成、特にその脂肪含有量が異なっていてよい。第１の工程では、制御装置は顧客に、選択可能なレシピＲ１、Ｒ２、Ｒ３、Ｒ４の一覧を示すことができ、レシピは、その原料の組成（コーヒーとミルク、ココア、ミルクティーなど）又はその飲料の外観若しくは食感（ホワイトコーヒー、ラッテマキアート、カプチーノ、モカなど）が異なる。別の工程では、制御装置は顧客に、脂肪含有量又は栄養情報（多いか少ないか）に関する選択肢を示すことができる。別の工程では、制御装置は顧客に、味（ミルクの香り、ミルクの風味）に関する選択肢を示すことができる。そのため、最初のレシピ選択に基づいて、制御装置は顧客に、例えば顧客の食事に応じて、その顧客の飲料の脂肪含有量又は栄養情報を選択する選択肢を提供する。別の手法では、制御装置は顧客に、風味の点で飲料の味を選択する選択肢を提供できる。
【００４２】
消費者は、表示装置を用いて、例えば表示装置によって提供されるか、あるいは表示装置に関連付けられているボタンを押して、あるいは表示装置がタッチ画面であれば画面に触れて、１つのレシピを選択できる。ユーザインターフェース６は、消費者からの入力６１を受信するための手段を備える。入力６１は制御ユニット７に伝送され、制御ユニットは、入力６１に従って飲料レシピを作成するための該当する処理情報９１を得るために、ローカルメモリ９から得ることができるか、又はネットワークを介して少なくとも１つのデータベース９と通信できるか若しくはサーバなどの少なくとも１つのデータ処理資源９と通信できる。制御ユニットは、顧客によって選択されたレシピに従って製品又は飲料を生成してカップ８の中に分配するために、処理情報９１を使用して１つ以上のドーズ装置、２ａ、２ｂ及び／又はポンプ４及び／又はホイップ装置３を制御できる。
【００４３】
本発明によれば、処理情報９１は、再構成場所３内に同時に計り取って入れられる、容器１ａ、１ｂに収容された両方の乳粉末の割合を少なくとも含む。低脂肪含有飲料を調製するために、その割合は、好ましくは、特に顧客が「ミルクリッチ」風味の飲料を選択する可能性もあった場合に、仕上がる調整後飲料の乳成分の脂肪含有量が少なくとも８重量％であるように決定される。実際、このような脂肪含有量は、味覚特性が脱脂乳よりも全脂肪乳に近いことがわかっている。したがって、約８重量％の脂肪分を含む飲料の乳成分は、低脂肪飲料と良好な味の飲料との両方の利点を有する。
【００４４】
図２は、図１に記載したような乳飲料成分を調製するためのモジュールの隣に非乳飲料成分を調製するためのモジュールを備えている飲料ディスペンサを示している。飲料ディスペンサは、飲料を調製するための様々な機能部材が設置されているハウジングとともに示されている。特に、ディスペンサは、図１のディスペンサの部材１ａ、１ｂ、３と、コーヒー成分及び茶又はココアの成分のような非乳成分を調製するための同様の構成部品１’、１”、３’、３”とを備える。例えば、容器１’は、インスタントの茶粉末又はココア粉末を収容でき、再構成チャンバ３’は、これらの粉末の一方から茶又はココアを調製できる。同じように、容器１”及び左隣の容器（図２の左側のパネルに隠れている）は、それぞれインスタントの可溶性コーヒー粉末及びインスタントの可溶性カフェイン抜きコーヒー粉末を収容でき、再構成チャンバ３”は、これらの粉末の一方からコーヒーを調製できる。
【００４５】
乳飲料成分及び非乳飲料成分は、異なる再構成チャンバ内で別々に調製され、その後、出口３５の１つを通って同じ飲用カップに分配される。ミルク及び非乳飲料成分は、一緒に混合されて消費者によって注文された飲料を生成する。例えばラッテマキアートが注文された場合は、まず、キャニスタ１ａ及び１ｄからの異なる乳粉末のドーズ量を希釈液のドーズ量と混合することによって、泡状のミルクが専用の再構成チャンバ３内で調製され、この泡状のミルクは、出口３５の１つを通って飲用カップに分配される。次に、キャニスタ１”からの可溶性コーヒー粉末のドーズ量と希釈液のドーズ量とを混合することによって、コーヒーが専用の再構成チャンバ３”内で調製され、このコーヒーは、出口３５の１つを通って泡状のミルクの上から飲用カップに分配される。
【００４６】
図３は、図１及び図２のディスペンサの代替案を示し、この図では、飲料再構成場所は、混合チャンバの代わりに飲用カップ８である。このようなディスペンサは、カップ内混合を実施する。脂肪含有量が異なる別々の乳粉末は、容器１ａ、１ｂに収容される。容器１ａ、１ｂは、各乳粉末を計り取るための内蔵型ドーズ装置を備える。乳粉末のドーズ量は、シュート１１ａ、１１ｂを通ってカップ８に供給される。ディスペンサは、少なくとも１つの水の噴流をカップ８に供給して乳粉末を溶解するように構成された希釈液供給部１０を備える。国際公開第２０１２／１６３７２７号には、このようなディスペンサの一例が記載されている。図１及び図２に関して記載したプロセスは、ミルクを含む飲料を調製するための図３のディスペンサにも適用される。
【００４７】
［実施例］
図２のマシンで４つのラッテマキアートを調製した。このマシンでは、容器１ａは脂肪含有量が１重量％である乳粉末を含み、容器１ｂは脂肪含有量が１６重量％の乳粉末を含んでいた。
【００４８】
第１のラッテマキアートは、脂肪含有量が１６重量％の乳粉末のみを用いて、以下のように調製した。
−脂肪含有量が１６重量％の乳粉末１８ｇを７０℃の湯１５０ｍＬと混合してそれをカップに供給し、
−可溶性コーヒー粉末１．６ｇを７０℃の湯３０ｍＬと混合してそれをカップに供給した。
【００４９】
第２のラッテマキアートは、脂肪含有量が１６重量％の乳粉末と脂肪含有量が１重量％の乳粉末との混合物とを用いて、以下のように調製した。
−脂肪含有量が１６重量％の乳粉末９ｇ及び脂肪含有量が１重量％の乳粉末９ｇを７０℃の湯１５０ｍＬと混合してそれをカップに供給し、
−可溶性コーヒー粉末１．６ｇを７０℃の湯３０ｍＬと混合してそれをカップに供給した。
【００５０】
その際、この第２のラッテマキアートの脂肪含有量は、脂肪含有量が８重量％の１つの乳粉末のみを用いて調製したラッテマキアートの脂肪含有量と同等であった。
【００５１】
第３のラッテマキアートは、脂肪含有量が１６重量％の乳粉末と脂肪含有量が１重量％の乳粉末との混合物を用いて、以下のように調製した。
−脂肪含有量が１６重量％の乳粉末５ｇ及び脂肪含有量が１重量％の乳粉末１３ｇを７０℃の湯１５０ｍＬと混合してそれをカップに供給し、
−可溶性コーヒー粉末１．６ｇを７０℃の湯３０ｍＬと混合してそれをカップに供給した。
【００５２】
その際、この第３のラッテマキアートの脂肪含有量は、脂肪含有量が５重量％の１つの乳粉末のみを用いて調製したラッテマキアートの脂肪含有量と同等であった。
【００５３】
第４のラッテマキアートは、脂肪含有量が１重量％の乳粉末のみを用いて、以下のように調製した。
−脂肪含有量が１重量％の乳粉末１８ｇを７０℃の湯１５０ｍＬと混合してそれをカップに供給し、
−可溶性コーヒー粉末１．６ｇを７０℃の湯３０ｍＬと混合してそれをカップに供給した。
【００５４】
感覚特性に関して、顧客団は以下のように感じた。
−第１のラッテマキアートと第２のラッテマキアートとは有意な差がない。
−第１のラッテマキアートと第３のラッテマキアートとは、特に全体の香りの点で有意な差がある。
−最初の３つのラッテマキアートからなる群と脱脂乳（脂肪含有量１重量％）のみを用いて調製した第４のラッテマキアートとは、特にミルクの香り及びミルクの風味の点、並びに苦み及びコーヒー風味の点でも極めて有意な差がある。
【００５５】
したがって、１％の脂肪含有量の乳粉末のみを用いて調製した飲料のみが、他とは異なる顕著な味を示した。
さらに、３つのラッテマキアートは、以下の栄養上の特徴を示した。
【００５６】
【表１】
0006446041.tif 000002
【００５７】
これらの結果から、以下が明らかになった。
−第１及び第２のラッテマキアートは感覚特性が同じであったが、第２のラッテマキアートはエネルギーが９．７％低かった。
−第３のラッテマキアートは、第４のラッテマキアートよりも第１のラッテマキアートに近い感覚特性を示したが、その脂肪含有量は第１のラッテマキアートの方に近かった。この意外な結果は、高脂肪含有の乳系飲料に近い味覚特性を有する低エネルギーの乳系飲料を提供する場合に特に興味深い。
【図１】
0006446041.tif 000003
【図２】
0006446041.tif 000004
【図３】
0006446041.tif 000005